(57)【要約】【課題】電流センサの設置方向を判定する。【解決手段】電力管理装置１９は取得部２７と制御部２８とを有する。取得部２７は第１のサブ取得部２９および第２のサブ取得部３０を有する。第１のサブ取得部２９は電流値を取得する。第２のサブ取得部３０は売買情報と上流電力情報と出力電力情報と駆動情報の少なくともいずれかを取得する。制御部２８は電力管理装置１９の電力情報を生成する。制御部２８は電力管理装置１９の電力情報と第２のサブ取得部３０が取得した情報とに基づいて第１の電流センサの設置方向の正誤を判定する。【選択図】図２
2018038144.tif 000002
【特許請求の範囲】
【請求項１】
電力系統と負荷機器とを接続する電力線に設置された第１の電流センサからの電流値を取得する第１のサブ取得部と、前記電力系統からの電力の売買情報、前記第１の電流センサよりも前記負荷機器側で前記電力線に接続される分散電源よりも前記第１の電流センサ側での前記電力線における電力に相当する上流電力情報、前記分散電源の出力する電力に相当する出力電力情報、および前記分散電源の駆動状態を示す駆動情報の少なくとも何れかを取得する第２のサブ取得部とを有する取得部と、
前記電流値に基づいて算出した電力に相当する電力管理装置の電力情報を生成し、前記電力管理装置の電力情報と前記第２のサブ取得部が取得した情報とに基づいて、前記第１の電流センサの設置方向の正誤を判定する制御部とを備える
ことを特徴とする電力管理装置。
【請求項２】
請求項１に記載の電力管理装置において、
前記制御部は、前記第１の電流センサの設置方向が誤りであると判定するときに、前記第１の電流センサの電流値の符号を反転する
ことを特徴とする電力管理装置。
【請求項３】
請求項１または２に記載の電力管理装置において、
前記第２のサブ取得部は、前記上流電力情報を取得し、
前記制御部は、前記第１の電流センサの設置方向の正誤判定に基づいて、前記分散電源および前記電力線の接続点よりも前記第１の電流センサ側に設置された第２の電流センサの設置方向の正誤を判定する
ことを特徴とする電力管理装置。
【請求項４】
請求項３に記載の電力管理装置において、
前記制御部は、前記第２の電流センサの設置方向が誤りであると判定するときに、前記第２の電流センサの電流値の符号の反転、および前記分散電源の停止のいずれかを実行する
ことを特徴とする電力管理装置。
【請求項５】
請求項１または２に記載の電力管理装置において、
前記第２のサブ取得部は、前記売買情報を取得し、
前記制御部は、前記出力電力情報に相当する電力の符号が、前記売買情報が示す売買状況と合致するか否かに基づいて、前記第１の電流センサの設置方向の正誤を判定する
ことを特徴とする電力管理装置。
【請求項６】
請求項５に記載の電力管理装置において、
前記第２のサブ取得部は、さらに前記上流電力情報を取得し、
前記制御部は、前記売買情報が買電を示すときに、前記上流電力情報に相当する電力の符号が前記負荷機器側への電力供給を示すか否かに基づいて、前記分散電源および前記電力線の接続点よりも前記第１の電流センサ側に設置された第２の電流センサの設置方向の正誤を判定する
ことを特徴とする電力管理装置。
【請求項７】
請求項１から４の何れか１項に記載の電力管理装置において、
前記第２のサブ取得部は、前記電力線に接続されるすべての前記分散電源に対応する前記出力電力情報とともに、前記第１の電流センサよりも前記負荷機器側において前記電力線を複数の支幹に分岐する分電盤からすべての前記複数の支幹における電力に相当する合計情報を取得し、
前記制御部は、前記合計情報に相当する電力からの、すべての前記上流電力情報に相当する電力を減じた差の符号が示す売買状況と、前記電力管理装置の電力情報に相当する電力の符号とが合致するか否かに基づいて、前記第１の電流センサの設置方向の正誤を判定する
ことを特徴とする電力管理装置。
【請求項８】
請求項１から４の何れか１項に記載の電力管理装置において、
前記第２のサブ取得部は、前記電力線に接続されるすべての前記分散電源に対応する前記駆動情報を取得し、
前記制御部は、前記すべての分散電源に対応する前記駆動情報が停止を示すときに、前記電力管理装置の電力情報に相当する電力の符号が前記負荷機器側への電力供給を示すか否かに基づいて、前記第１の電流センサの設置方向の正誤を判定する
ことを特徴とする電力管理装置。
【請求項９】
請求項１から４の何れか１項に記載の電力管理装置において、
複数の前記分散電源は蓄電装置を含み、
前記第２のサブ取得部は、前記電力線に接続される、前記蓄電装置以外のすべての前記分散電源に対応する前記駆動情報および前記出力電力情報の少なくともいずれかを取得し、
前記制御部は、前記蓄電装置が充電状態かつ前記蓄電装置以外のすべての前記分散電源に対応する前記駆動情報が停止を示すとき、または前記蓄電装置以外のすべての前記分散電源に対応する前記出力電力情報に相当する電力がすべて第１の所定値未満であるとき、前記電力管理装置の電力情報に相当する電力の符号が前記負荷機器側への電力供給を示すか否かに基づいて、前記第１の電流センサの設置方向の正誤を判定する
ことを特徴とする電力管理装置。
【請求項１０】
請求項１から４の何れか１項に記載の電力管理装置において、
前記制御部は、
前記分散電源の出力を変化させ、
前記第２のサブ取得部に、出力の変化の前後の前記上流電力情報を取得させ、
前記電力情報に相当する電力の変化と、前記分散電源の出力の変化の前後における前記電力管理装置の電力情報に相当する電力の変化の方向が該出力の変化の方向と合致するか否かに基づいて、前記第１の電流センサの設置方向の正誤を判定する
ことを特徴とする電力管理装置。
【請求項１１】
請求項１から４の何れか１項に記載の電力管理装置において、
前記制御部は、
前記分散電源の出力を第２の所定値だけ変化させ、
前記第２のサブ取得部に、出力の変化の前後の前記上流電力情報を取得させ、
前記上流電力情報に相当する電力の変化と、前記分散電源の出力の変化の前後における前記電力管理装置の電力情報に相当する電力の変化とが一致するとみなせるか否かに基づいて、前記第１の電流センサの設置方向の正誤を判定する
ことを特徴とする電力管理装置。
【請求項１２】
請求項１０または１１に記載の電力管理装置において、
前記取得部は、所定の時間間隔内で、２回以上の情報を取得し、
前記制御部は、情報を取得する毎に、設置方向の判定を行い、複数回の設置方向の判定結果に基づいて、最終判定を行う
ことを特徴とする電力管理装置
【請求項１３】
請求項１、２、５、および７から１２の何れか１項に記載の電力管理装置において、
複数の前記分散電源中の一部の分散電源は、前記分散電源および前記電力線の接続点よりも前記第１の電流センサ側に設置された第２の電流センサの設置方向の正誤を判定可能であり、
前記第２のサブ取得部は、前記上流電力情報および前記第２の電流センサの設置方向の正誤判定情報を取得し、
前記制御部は、前記正誤判定情報および該第２の電流センサに対応する分散電源の前記上流電力情報に基づいて、該第２の電流センサに対応する前記分散電源以外の分散電源に対応する第２の電流センサの設置方向の正誤を判定可能である
ことを特徴とする電力管理装置。
【請求項１４】
請求項１、２、５、および７から１２の何れか１項に記載の電力管理装置において、
前記分散電源は、第１の分散電源および第２の分散電源を含み、
前記第２のサブ取得部は、前記第１の分散電源の出力電力情報を取得し、
前記制御部は、前記電力管理装置の電力情報に相当する電力が前記第１の分散電源の出力電力情報に相当する電力値より小さいときに、前記第２の分散電源に対応する第２の電流センサの設置方向が誤りであると判定する
ことを特徴とする電力管理装置。
【発明の詳細な説明】
【技術分野】
【０００１】
本発明は、電力管理装置に関するものである。
【背景技術】
【０００２】
近年、太陽光発電装置、蓄電装置及び燃料電池装置等の分散電源装置を需要家施設に設置させることが普及しつつある。
【０００３】
需要家施設において、分散電源装置の制御等のために、通常、電力系統に接続される電力線に流れる電流を測定する電流センサが設置される。例えば、分散電源装置が太陽光発電装置であり、需要家施設が電力会社（電力系統）と売電契約をしている場合、売電する電力を算出するために電流センサが設置される。
【０００４】
電流センサには、正確な設置位置が定められている。しかし、電流センサは設置業者によって手作業で設置されるため、誤った位置に設置されることがあり得る。誤った位置に設置されると、分散電源装置の正しい制御等が困難となる。そこで、電流センサの設置位置が正しいか否かを自動的に判定する方法が知られている（例えば、特許文献１）。
【先行技術文献】
【特許文献】
【０００５】
【特許文献１】特開２０１４−７２９７６号公報
【発明の概要】
【発明が解決しようとする課題】
【０００６】
電流センサには設置位置だけでなく、正確な設置方向（極性）も定められている。特許文献１に記載された方法では、設置方向の正誤の判定はできなかった。
【０００７】
従って、上記のような従来技術の問題点に鑑みてなされた本発明の目的は、電流センサの設置方向を判定する電力管理装置を提供することにある。
【課題を解決するための手段】
【０００８】
上述した諸課題を解決すべく、第１の観点による電力管理装置は、
電力系統と負荷機器とを接続する電力線に設置された第１の電流センサからの電流値を取得する第１のサブ取得部と、前記電力系統からの電力の売買情報、前記第１の電流センサよりも前記負荷機器側で前記電力線に接続される分散電源よりも前記第１の電流センサ側での前記電力線における電力に相当する上流電力情報、前記分散電源の出力する電力に相当する出力電力情報、および前記分散電源の駆動状態を示す駆動情報の少なくとも何れかを取得する第２のサブ取得部とを有する取得部と、
前記電流値に基づいて算出した電力に相当する電力管理装置の電力情報を生成し、前記電力管理装置の電力情報と前記第２のサブ取得部が取得した情報とに基づいて、前記第１の電流センサの設置方向の正誤を判定する制御部とを備える
ことを特徴とするものである。
【発明の効果】
【０００９】
上記のように構成された本発明の実施形態に係る電力管理装置によれば、電流センサの設置方向を判定可能である。
【図面の簡単な説明】
【００１０】
【図１】第１の実施形態に係る電力管理装置を含む電力管理システムの概略構成を示す機能ブロック図である。
【図２】図１の電力管理装置の概略構成を示す機能ブロック図である。
【図３】第１の実施形態において電力管理装置の制御部が実行する、方向判定処理を説明するためのフローチャートである。
【図４】第２の実施形態に係る電力管理装置を含む電力管理システムの概略構成を示す機能ブロック図である。
【図５】第２の実施形態において電力管理装置の制御部が実行する、方向判定処理を説明するためのフローチャートである。
【図６】第３の実施形態において電力管理装置の制御部が実行する、方向判定処理を説明するためのフローチャートである。
【図７】第４の実施形態において電力管理装置の制御部が実行する、方向判定処理を説明するためのフローチャートである。
【図８】第５の実施形態において電力管理装置の制御部が実行する、方向判定処理を説明するためのフローチャートである。
【図９】第６の実施形態において電力管理装置の制御部が実行する、方向判定処理を説明するためのフローチャートである。
【発明を実施するための形態】
【００１１】
以下、本発明を適用した電力管理装置の実施形態について、図面を参照して説明する。
【００１２】
図１に示すように、本発明の第１の実施形態に係る電力管理装置１９を含む電力管理システム１０は、ネットワーク１１、電力量計１２、負荷機器１３、第１の電流センサ１４、第２の電流センサ１５、第１の電圧センサ１６、第２の電圧センサ１７、分散電源１８、および電力管理装置１９を含んで構成されている。
【００１３】
以後の図において、各機能ブロックを結ぶ実線は、電力の流れを示す。また、図１において、各機能ブロックを結ぶ破線は、制御信号または通信される情報の流れを示す。破線が示す通信は有線通信であってもよいし、無線通信であってもよい。
【００１４】
本実施形態では、電力線２０の任意の箇所における電力の符号が正であるとき、当該箇所において電力が負荷機器１３側に供給されている状態と定めている。また、電力線２０の任意の箇所における電力の符号が負であるとき、当該箇所において電力が電力系統２１側に供給されている状態と定めている。
【００１５】
制御信号および情報の通信には、様々な方式を採用可能である。例えば、電力管理装置１９と、電力量計１２、および分散電源１８といった各装置との通信には、ＺｉｇＢｅｅ（登録商標）などの近距離通信方式による通信を採用することができる。また、電力管理装置１９と負荷機器１３との通信には、赤外線通信、電力線搬送通信（ＰＬＣ：Ｐｏｗｅｒ  Ｌｉｎｅ  Ｃｏｍｍｕｎｉｃａｔｉｏｎ）、ＺｉｇＢｅｅ、Ｅｃｈｏｎｅｔ  Ｌｉｔｅ（登録商標）など、種々の方式による通信を採用することができる。
【００１６】
ネットワーク１１は、例えばルータであり、電力量計１２、少なくとも一部の分散電源１８、および電力管理装置１９間の情報および指令の通信を中継する。
【００１７】
電力量計１２は、本実施形態においては、例えばスマートメータである。電力量計１２は、電力系統２１に接続されて、電力系統２１から供給される電力を検出する。また、電力量計１２は、分散電源１８から電力系統２１へ供給される電力を計測可能である。電力量計１２は、検出した電力を積算して電力量を算出する。電力量計１２は、電力の売買情報、例えば算出した電力量の符号を、周期的にネットワーク１１を介して電力管理装置１９に通知する。なお、電力量計１２は出荷時に検定されており、電力量の符号が正しいことは確認されているものとする。
【００１８】
負荷機器１３は、電力量計１２および分電盤などを介して主幹の電力線２０により、電力系統２１に接続されている。負荷機器１３は、電力を消費する電力負荷であり、例えば、需要家の敷地内で使用される照明器具、パソコン、および複合機などのオフィス機器、ならびにエアーコンディショナ、電子レンジ、およびテレビなどの各種電器製品などである。
【００１９】
なお、図１において、電力線２０は１本の線で表示されているが、詳細には、例えば、２本の電圧線および１本の中性線を含む、単相三線式の配線である。なお、配線は、単相三線式に限定されず、例えば、単相二線式または三相三線式などを用いることができる。
【００２０】
第１の電流センサ１４は、電力線２０に流れる電流値を検出し、電力管理装置１９に通知する。なお、本実施形態における通知とは、第１の電流センサ１４で検出された電流情報を信号線を介して電力管理装置１９に送ることを指す。第１の電流センサ１４は、例えば、電力線２０の設置後に取り付け可能な分割式のクランプセンサである。また、クランプセンサで検出された瞬時電流値は電圧値の形態なので、電力管理装置１９において電流値に変換される。第１の電流センサ１４は第１の接続点Ｐ１よりも電力系統２１側において電力線２０に設置されている。第１の接続点Ｐ１は、最も電力系統２１側の第１の分散電源２２および電力線２０の接続点である。詳細にいえば、第１の電流センサ１４は、電力線２０の中の２本の電圧線（１本は中性線）それぞれに設置されている。なお、第１の電流センサ１４は、電力線２０の設置後に、施工業者によって取付けられる。
【００２１】
第２の電流センサ１５は、電力線２０に流れる電流値を検出し、売電が許可されていない分散電源１８に通知する。なお、本実施形態における通知とは第２の電流センサ１５で検出された電流情報を信号線を介して分散電源１８に送ることを指す。第２の電流センサ１５は、例えば、電力線２０の設置後に取り付け可能な分割式のクランプセンサである。上述のように、クランプセンサで検出された瞬時電流値は電圧値の形態なので、分散電源１８において電流値に変換される。
【００２２】
第２の電流センサ１５は、自身に対応する分散電源１８および電力線２０を接続する接続点および第１の電流センサ１４の間において電力線２０に設置されている。詳細にいえば、第２の電流センサ１５は、電力線２０の中の２本の電圧線（１本は中心線）それぞれに設置されている。
【００２３】
本実施形態においては、第２の分散電源２３に電流値を通知する第２の電流センサ１５が第２の接続点Ｐ２および第１の電流センサ１４の間において電力線２０に設置されている。第２の分散電源２３は、第１の分散電源２２の次に電力系統２１側に接続される分散電源１８である。第２の接続点Ｐ２は、第２の分散電源２３および電力線２０の接続点である。また、本実施形態においては、第３の分散電源２４に電流値を通知する第２の電流センサ１５が第３の接続点Ｐ３および第２の接続点Ｐ２の間において電力線２０に設置されている。第３の分散電源２４は、第２の分散電源２３の次に電力系統２１側に接続される分散電源１８である。第３の接続点Ｐ３は、第３の分散電源２４および電力線２０の接続点である。なお、第２の電流センサ１５は、電力線２０の設置後に、施工業者によって取付けられる。
【００２４】
第１の電圧センサ１６は、電力線２０の電圧値を検出し、電力管理装置１９に通知する。なお、本実施形態における通知とは、第１の電圧センサ１６の電圧情報を信号線を介して、電力管理装置１９に送ることを指す。第１の電圧センサ１６は、電力線２０のいずれの場所に接続してもよく、電力管理装置１９が電力線２０から電源を得ている場合は電力管理装置１９の内部でもよい。詳細にいえば、第１の電圧センサ１６は、電力線２０の中の２本の電圧線それぞれの中性線に対する電圧を検出するように、別々に取付けられている。
【００２５】
第２の電圧センサ１７は、電力線２０の電圧値を検出し、売電が許可されていない分散電源１８に通知する。なお、本実施形態における通知とは、第２の電圧センサ１７の電圧情報を信号線を介して、分散電源１８に送ることを指す。また、第２の電圧センサ１７は、電力線２０のいずれの場所に接続しても良く、分散電源１８が電力線２０から電源を得ている場合は分散電源１８の内部でもよい。詳細にいえば、第２の電圧センサ１７は、電力線２０の中の２本の電圧線それぞれの中性線に対する電圧を検出するように、別々に取付けられている。
【００２６】
本実施形態においては、第２の分散電源２３に電圧値を通知する第２の電圧センサ１７が第１の接続点Ｐ１および第２の接続点Ｐ２の間において電力線２０に取付けられている。また、本実施形態においては、第３の分散電源２４に電圧値を通知する第２の電圧センサ１７が第２の接続点Ｐ２と第３の接続点Ｐ３との間において電力線２０に取付けられている。
【００２７】
分散電源１８はパワーコンディショナを内蔵しており、自身が発電した電力または蓄電した電力を交流電力として電力線２０に出力する。なお、分散電源１８が蓄電装置である場合には、分散電源１８は電力系統２１または他の分散電源から供給される電力を充電可能である。
【００２８】
分散電源１８には、例えば、太陽光発電装置、蓄電装置、燃料電池装置、エンジン発電装置、または風力発電装置などを用いることができる。複数の分散電源１８が電力線２０に接続されていてもよく、本実施形態では、前述のように、第１の分散電源２２、第２の分散電源２３、および第３の分散電源２４が電力線２０に接続されている。
【００２９】
前述のように、電力系統２１側から負荷機器１３側に向かって順番に、第１の分散電源２２、第２の分散電源２３、および第３の分散電源２４が電力線２０に接続されている。分散電源１８の種類によっては、電力系統２１への電力供給、すなわち売電が許可されている。売電が許可されている分散電源１８がより電力系統２１側において電力線２０に接続されている。一方、電力系統２１への売電が許可されていない分散電源１８がより負荷機器１３側において電力線２０に接続されている。本実施形態において売電が許可されている分散電源とは、例えば電力線２０に接続される電力変換装置が公的機関で逆潮流の認証が取得されているものであり、売電が許可されていない分散電源とは例えば認証が取得されていないものである。
【００３０】
例えば、本実施形態において、より電力系統２１側において電力線２０に接続される第１の分散電源２２は、売電が許可されている太陽光発電装置である。また、より負荷機器１３側において電力線２０に接続される第２の分散電源２３および第３の分散電源２４は、それぞれ売電が許可されていない蓄電装置および燃料電池装置である。
【００３１】
売電が許可されていない分散電源１８は、第２の電流センサ１５から取得する電流値と、第２の電圧センサ１７から取得する電圧値とを乗じることにより電力系統２１側または負荷機器１３側に供給されている電力値を算出する。分散電源１８は、当該電力を上流電力情報として電力管理装置１９に通知する。
【００３２】
電力管理装置１９は、図２に示すように、記憶部２５、表示部２６、取得部２７および制御部２８を含んで構成されている。
【００３３】
記憶部２５は、制御部２８での動作に必要な情報を予め記憶している。また、記憶部２５は制御部２８が生成した情報などを記憶可能である。
【００３４】
表示部２６は、需要家に通知すべき情報を示す画像を表示する。なお、表示部２６は外部に表示装置を設ける構成であってもよい。
【００３５】
取得部２７は、第１のサブ取得部２９および第２のサブ取得部３０を含む。第１のサブ取得部２９は第１の電流センサ１４から電流値を取得する。また、第１のサブ取得部２９は、第１の電圧センサ１６から電圧値を取得する。第２のサブ取得部３０は、ネットワーク１１を介して、電力の売買情報および上流電力情報を取得する。
【００３６】
制御部２８は、専用のマイクロプロセッサ、または汎用のＣＰＵに特定の機能を実行するプログラムを読み込ませることによって構成される。制御部２８は、第１のサブ取得部２９が取得した電流値および電圧値を乗ずることにより電力値を、電力管理装置１９の電力情報として算出する。
【００３７】
制御部２８は、電力管理装置１９の電力情報と、第２のサブ取得部３０が取得した情報とに基づいて、第１の電流センサ１４の設置方向の正誤を判定する。本実施形態においては、制御部２８は、設置方向の正誤判定に、第２のサブ取得部３０が取得した情報の中で、電力の売買情報を用いる。
【００３８】
詳細に説明すると、制御部２８は、電力管理装置１９の電力情報が示す電力値の符号が、売買情報が示す売買状況と合致するか否かに基づいて、第１の電流センサ１４の設置方向の正誤を判定する。制御部２８は、合致するときには、第１の電流センサ１４の設置方向が正しいと判定する。一方、制御部２８は、合致しないときには、第１の電流センサ１４の設置方向が誤りであると判定する。本実施形態では、電力管理装置１９の電力情報が示す電力の正の符号が買電状況に合致し、負の符号が売電状況に合致する。
【００３９】
制御部２８は、第１の電流センサ１４の設置方向が正しいと判定するとき、設置方向が正しい旨を示す画像をデータとして作成し、当該画像を表示部２６に表示させる。
【００４０】
制御部２８は、第１の電流センサ１４の設置方向が誤りであると判定するとき、設置方向が誤りである旨を示す画像をデータとして作成し、当該画像を表示部２６に表示させる。または、制御部２８は、第１の電流センサ１４の設置方向が誤りであると判定するときに、判定後に第１の電流センサ１４から取得する電流値の符号を反転させる。制御部２８は、一度判定した以降は、自動的に電流値の符号の反転が行われるように補正し続ける。なお、電流値の符号は、電力値の符号を反転させることと置き換えてもよい。また、第１の電流センサ１４の設置方向が正しいと判定するとき、制御部２８は＋の符号を掛け合わせる補正自体を行なわなくても良いし、＋の符号を掛け合わせる補正をし続けても良い。
【００４１】
また、制御部２８は、第１の電流センサ１４の設置方向が確定されたとき、第２のサブ取得部３０が取得した電力の売買情報および上流電力情報に基づいて、第２の電流センサ１５の設置方向の正誤を判定する。詳細に説明すると、制御部２８は、売買情報が買電状況を示すときの上流電力情報が示す電力の符号が負荷機器１３側への電力供給を示すか否かに基づいて、第２の電流センサ１５の設置方向の正誤を判定する。制御部２８は、負荷機器１３側への電力供給を示すときには、第２の電流センサ１５の設置方向が正しいと判定する。一方、制御部２８は、負荷機器１３側への電力供給を示さないときには、第２の電流センサ１５の設置方向が誤りであると判定する。本実施形態では、上流電力情報が示す電力の正の符号が負荷機器１３側への電力供給を示す。例えば、電力量計１２の売買情報を用いて第１の電流センサ１４の設置方向が正しいと確定された後に、電力管理装置１９によって第２の分散電源２３に接続された第２の電流センサ１５の設置方向が正しいかを判定する。
【００４２】
制御部２８は、第２の電流センサ１５の設置方向が正しいと判定するとき、設置方向が正しい旨を示す画像をデータとして作成し、当該画像を表示部２６に表示させる。
【００４３】
制御部２８は、第２の電流センサ１５の設置方向が誤りであると判定するとき、設置方向が誤りである旨を示す画像をデータとして作成し、当該画像を表示部２６に表示させる。または、制御部２８は、設置方向が誤りであると判定するときに、判定後に第２の電流センサ１５から取得する電流値の符号を反転させる指令を、当該第２の電流センサ１５に対応する分散電源１８に通知する。または、制御部２８は、設置方向が誤りであると判定するときに、ネットワーク１１を通じて管理会社などに設置方向が誤りであることに起因して分散電源１８が動作できないことを通知する。
【００４４】
次に、第１の実施形態において電力管理装置１９の制御部２８が実行する、方向判定処理について、図３のフローチャートを用いて説明する。方向判定処理は、電力管理装置１９の入力装置に対して、方向判定を実行する入力を検出するときに開始する。
【００４５】
ステップＳ１００からステップＳ１０４は、第１の電流センサ１４の設置方向の正誤に関するものである。ステップＳ１００において、制御部２８は、第２のサブ取得部３０が電力量計１２から電力の売買情報を取得しているか否かを判定する。売買情報を取得していないとき、プロセスはステップＳ１００を繰返し、売買情報を取得するまで待機する。売買情報を取得しているとき、プロセスはステップＳ１０１に進む。
【００４６】
ステップＳ１０１では、制御部２８は、第１の電流センサ１４が検出した電流値および第１の電圧センサ１６が検出した電圧値を乗じることにより電力値を算出する。電力値を算出すると、プロセスはステップＳ１０２に進む。
【００４７】
ステップＳ１０２では、制御部２８は、ステップＳ１０１において算出した電力値の符号が、ステップＳ１００において取得を確認した売買情報が示す売買状況と合致しているか否かを判定する。合致しているとき、プロセスはステップＳ１０３に進む。合致していないとき、プロセスはステップＳ１０４に進む。
【００４８】
ステップＳ１０３では、制御部２８は、第１の電流センサ１４の設置方向が正しい旨を示す画像を表示部２６に表示させる。画像の表示後、プロセスはステップＳ１０５に進む。
【００４９】
ステップＳ１０４では、制御部２８は、第１の電流センサ１４の設置方向が誤りである旨を示す画像を表示部２６に表示させる。画像の表示後、プロセスはステップＳ１０５に進む。なお、設置方向が誤りであると判定された場合、以降の電力測定（電流・電圧の測定と電力の算出）を中止する。また、本実施形態では、設置方向が誤りである旨を示す画像を表示させることとしたが、表示に代えて、第１の電流センサ１４から取得する電流値の符号を自動的に反転させるように設定してもよい。
【００５０】
ステップＳ１０５以降のプロセスは、第２の電流センサ１５の設置方向の正誤に関するものである。ステップＳ１０５では、制御部２８は、第２のサブ取得部３０が買電状況を示す売買情報を取得しているか否かを判定する。当該売買情報を取得していないとき、プロセスはステップＳ１０５を繰返し、当該売買情報を取得するまで待機する。当該売買情報を取得しているとき、プロセスはステップＳ１０６に進む。
【００５１】
ステップＳ１０６では、制御部２８は、第２のサブ取得部３０が上流電力情報を取得しているか否かを判定する。上流電力情報を取得していないとき、プロセスはステップＳ１０５へ戻り、ステップＳ１０５およびＳ１０６を繰返し、上流電力情報を取得するまで待機する。上流電力情報を取得しているとき、プロセスはステップＳ１０７に進む。
【００５２】
ステップＳ１０７では、制御部２８は、ステップＳ１０６において取得を確認した上流電力情報に相当する電力の符号が、ステップＳ１０５において取得を確認した買電状況と合致しているか否かを判定する。合致しているとき、プロセスはステップＳ１０８に進む。合致していないとき、プロセスはステップＳ１０９に進む。
【００５３】
ステップＳ１０８では、制御部２８は、第２の電流センサ１５の設置方向が正しい旨を示す画像を表示部２６に表示させる。画像の表示後、方向判定処理を終了する。
【００５４】
ステップＳ１０９では、制御部２８は、第２の電流センサ１５の設置方向が誤りである旨を示す画像を表示部２６に表示させる。画像の表示後、方向判定処理を終了する。なお、設置方向が誤りであると判定された場合、分散電源１８は以降の動作（負荷への電力供給）を停止する。そこで、設置方向が誤りである旨を示す画像を表示させることに代えて、第２の電流センサ１５から取得する電流値の符号を反転させる指令を分散電源１８に通知してもよい。
【００５５】
以上のような構成の第１の実施形態の電力管理装置１９によれば、電力管理装置１９の電力情報および第２のサブ取得部３０が取得した電力の売買情報に基づいて第１の電流センサ１４の設置方向の正誤が判定され得る。第１の電流センサ１４および電力量計１２の間には分散電源１８が設けられない。それゆえ、第１の電流センサ１４の設置方向が正しければ売買情報が示す売買状況と電力管理装置１９の電力情報が示す電力の符号は売電状況および買電状況のいずれであっても合致する。したがって、本実施形態の判定方法により、第１の電流センサ１４の正確な設置方向を判定可能である。特に、電力管理装置１９と通信できない分散電源１８が電力線２０に接続されていても、第１の電流センサ１４の設置方向を正確に判定可能である。
【００５６】
また、第１の実施形態の電力管理装置１９によれば、第１の電流センサ１４の設置方向が誤りであるときに、第１の電流センサ１４から通知される電流値の符号が反転され得る。このような構成によれば、第１の電流センサ１４の設置方向に注意して設置しなくてもよいので、設置業者による設置作業が簡易になる。
【００５７】
また、第１の実施形態の電力管理装置１９によれば、買電状況であるときの上流電力情報に基づいて第２の電流センサ１５の設置方向の正誤が判定され得る。第２の電流センサ１５に関しては、分散電源１８および電力線２０の接続点と、電力量計１２との間に他の分散電源１８が接続されることもあり得る。それゆえ、電力量計１２において売電状況であったとしても、より負荷機器１３側の分散電源１８は負荷機器１３側に電力を供給することがあり得る。一方で、電力量計１２において買電状況であるときには、いずれの分散電源１８も負荷機器１３側に電力を供給するので、第２の電流センサ１５の設置方向が正しければ買電状況と電力情報が示す電力の符号は合致する。したがって、本実施形態の判定方法により、第２の電流センサ１５の正確な設置方向を判定可能である。
【００５８】
また、第１の実施形態の電力管理装置１９によれば、第２の電流センサ１５の設置方向が誤りであるときに、第２の電流センサ１５から通知される電流値の符号が反転され得る。このような構成によれば、第２の電流センサ１５の設置方向に注意して設置しなくてもよいので、設置業者による設置作業が簡易になる。あるいは、設置方向が誤りであると表示で知らせることができるので、符号の反転ができない分散電源１８であっても、設置方向の誤りによる動作停止の状態を早期に発見できる。
【００５９】
次に、本発明の第２の実施形態に係る電力管理装置１９について説明する。第２の実施形態では電力管理装置１９の電力情報と比較する情報の種類が第１の実施形態と異なっている。以下に、第１の実施形態と異なる点を中心に第２の実施形態について説明する。なお、第１の実施形態と同じ構成を有する部位には同じ符号を付す。
【００６０】
図４に示すように、第２の実施形態に係る電力管理装置１９を含む電力管理システム１００は、ネットワーク１１、電力量計１２、負荷機器１３、第１の電流センサ１４、第２の電流センサ１５、第１の電圧センサ１６、第２の電圧センサ１７、分散電源１８、分電盤３１、および電力管理装置１９を含んで構成されている。
【００６１】
ネットワーク１１、負荷機器１３、第１の電流センサ１４、第２の電流センサ１５、第１の電圧センサ１６、および第２の電圧センサ１７の構成および機能は第１の実施形態と同様である。第１の実施形態と異なり、電力量計１２は電力の売買情報を電力管理装置１９に通知しなくてもよい。
【００６２】
分散電源１８は、第１の実施形態における分散電源１８と同じ機能を有している。第２の実施形態では、さらに、すべての分散電源１８は自身が出力する電力を検出するセンサを内蔵している。センサは例えば電流センサおよび電圧センサの組合せであり、それぞれが検出した電流値および電圧値を乗じることにより電力値が算出される。すべての分散電源１８は算出した電力値を出力電力情報として電力管理装置１９に通知する。
【００６３】
分電盤３１は、例えばスマート分電盤であり、主幹の電力線２０を、第３の接続点Ｐ３よりも負荷機器１３側において、複数の支幹の電力線（図４においては単一の電力線２０で表記している。）に分岐する。分電盤３１は、すべての支幹の電力線における電力、すなわちすべての支幹の電力線を介して負荷機器１３に供給する電力を検出する。分電盤３１は、検出した電力の合計値に相当する合計情報を電力管理装置１９に通知する。なお、分散電源１８の出力も検出可能な場合には、スマート分電盤から電力管理装置１９に通知する構成であってもよい。
【００６４】
第２の実施形態における電力管理装置１９の構成は、図２に示す第１の実施形態と同様である。第１の実施形態と異なり、第２の実施形態の電力管理装置１９は、取得部２７が取得する情報の一部および制御部２８が実行する制御が第１の実施形態と異なっている。
【００６５】
第１のサブ取得部２９は、第１の実施形態と同様に、第１の電流センサ１４および第１の電圧センサ１６からそれぞれ電流値および電圧値を取得する。第２のサブ取得部３０は、第１の実施形態と同様に、上流電力情報を取得する。第２のサブ取得部３０は、第１の実施形態と異なり、すべての分散電源１８および分電盤３１からそれぞれ出力電力情報および合計情報を取得する。この際、分散電源１８が蓄電装置の場合には、出力電力情報は電力供給状態か充電電力消費状態であるかの識別情報も含む。
【００６６】
制御部２８は、第１の実施形態と同様に、電力管理装置１９の電力情報を算出し、電力管理装置１９の電力情報および第２のサブ取得部３０が取得した情報に基づいて、第１の電流センサ１４の設置方向の正誤を判定する。第２の実施形態においては、制御部２８は設置方向の正誤判定に、第２のサブ取得部３０が取得した情報の中で、出力電力情報および合計情報を用いる。
【００６７】
詳細に説明すると、制御部２８は、すべての出力電力情報に相当する電力値を合計する。この際、分散電源１８が蓄電装置の場合には放電時は供給電力、充電時は消費電力として取扱う。次に、制御部２８は、合計情報に相当する電力から出力電力情報に相当する電力の合計値を減じた差を算出する。次に、制御部２８は、当該差の符号が示す売買状況と、電力管理装置１９の電力情報に相当する電力の符号とが合致するか否かに基づいて、第１の電流センサ１４の設置方向の正誤を判定する。なお、合計情報に相当する電力から当該合計値を減じた差が正のときには買電状況であり、負のときには売電状況である。また、第１の実施形態と同様に、電力管理装置１９の電力情報が示す電力の正の符号が買電状況に合致し、負の符号が売電状況に合致する。
【００６８】
第１の実施形態と同様に、制御部２８は、合致するときには、第１の電流センサ１４の設置方向が正しいと判定する。一方、制御部２８は、合致しないときには、第１の電流センサ１４の設置方向が誤りであると判定する。
【００６９】
第１の実施形態と同様に、制御部２８は、第１の電流センサ１４の設置方向が正しいと判定するとき、設置方向が正しい旨を示す画像をデータとして作成し、当該画像を表示部２６に表示させる。
【００７０】
第１の実施形態と同様に、制御部２８は、第１の電流センサ１４の設置方向が誤りであると判定するとき、設置方向が誤りである旨を示す画像をデータとして作成し、当該画像を表示部２６に表示させる。または、制御部２８は、設置方向が誤りであると判定するときに、判定後に第１の電流センサ１４から取得する電流値の符号を反転させる。
【００７１】
第１の実施形態と異なり、制御部２８は、第１の電流センサ１４の設置方向の正誤判定情報、電力管理装置１９の電力情報、および上流電力情報に基づいて、第２の電流センサ１５の設置方向の正誤を判定する。
【００７２】
詳細に説明すると、設置方向が正しくかつ電力管理装置１９の電力情報に相当する電力の符号が買電を示しているときに、需要家施設が買電状況であるとみなせる。そこで、制御部２８は、正誤判定情報および電力管理装置１９の電力情報に基づき買電状況であるときに、上流電力情報に相当する電力値の符号が負荷機器１３側への電力供給を示すか否かを判定する。制御部２８は当該判定結果に基づいて、第２の電流センサ１５の設置方向の正誤を判定する。
【００７３】
第１の実施形態と同様に、制御部２８は、負荷機器１３側への電力供給を示すときには、第２の電流センサ１５の設置方向が正しいと判定する。一方、制御部２８は、負荷機器１３側への電力供給を示さないときには、第２の電流センサ１５の設置方向が誤りであると判定する。第２の実施形態でも、電力情報が示す電力値の正の符号が、負荷機器１３側への電力供給に合致する。
【００７４】
第１の実施形態と同様に、制御部２８は、第２の電流センサ１５の設置方向が正しいと判定するとき、設置方向が正しい旨を示す画像をデータとして作成し、当該画像を表示部２６に表示させる。
【００７５】
第１の実施形態と同様に、制御部２８は、第２の電流センサ１５の設置方向が誤りであると判定するとき、設置方向が誤りである旨を示す画像をデータとして作成し、当該画像を表示部２６に表示させる。または、制御部２８は、設置方向が誤りであると判定するときに、判定後に第２の電流センサ１５から取得する電流値の符号を反転させる指令を、当該第２の電流センサ１５に対応する分散電源１８に通知する。または、制御部２８は、設置方向が誤りであると判定するときに、ネットワーク１１を通じて管理会社などに設置方向が誤りであることに起因して分散電源１８が動作できないことを通知する。
【００７６】
次に、第２の実施形態において電力管理装置１９の制御部２８が実行する、方向判定処理について、図５のフローチャートを用いて説明する。方向判定処理は、電力管理装置１９の入力装置に対して、方向判定を実行する入力を検出するときに開始する。
【００７７】
ステップＳ２００からステップＳ２０４は、第１の電流センサ１４の設置方向の正誤に関するものである。ステップＳ２００において、制御部２８は、第２のサブ取得部３０が分電盤３１から出力電力情報および合計情報を取得しているか否かを判定する。出力電力情報および合計情報を取得していないとき、プロセスはステップＳ２００を繰返し、出力電力情報および合計情報を取得するまで待機する。取得しているとき、プロセスはステップＳ２０１に進む。
【００７８】
ステップＳ２０１では、制御部２８は、第１の実施形態のステップＳ１０１と同じ処理を実行して、ステップＳ２０２に進む。
【００７９】
ステップＳ２０２では、制御部２８は、ステップＳ２００において取得を確認した出力電力情報および合計情報に基づく電力値の差が示す売買状況と、ステップＳ２０１で算出した電力値の符号が合致するか否かを判定する。合致しているとき、プロセスはステップＳ２０３に進む。合致していないとき、プロセスはステップＳ２０４に進む。
【００８０】
ステップＳ２０３、Ｓ２０４では、制御部２８は、それぞれ第１の実施形態のステップＳ１０３、Ｓ１０４と同じ処理を実行して、ステップＳ２０５に進む。
【００８１】
ステップＳ２０５以降のプロセスは、第２の電流センサ１５の設置方向の正誤に関するものである。ステップＳ２０５では、制御部２８は、ステップＳ２０２において合致している、すなわち設置方向が正しいと判定しているときには、電力管理装置１９の電力情報に相当する電力値が買電状況を示しているか否かを判定する。買電状況を示していないとき、プロセスはステップＳ２０５を繰返し、買電状況を示すまで待機する。買電状況を示しているとき、プロセスはステップＳ２０６に進む。また、制御部２８は、ステップＳ２０２において合致していない、すなわち設置方向が誤りであると判定しているときには、電力管理装置１９の電力情報に相当する電力が売電状況を示しているか否かを判定する。売電状況を示していないとき、プロセスはステップＳ２０５を繰返し、売電状況を示すまで待機する。売電状況を示しているとき、プロセスはステップＳ２０６に進む。
【００８２】
ステップＳ２０６では、制御部２８は、第１の実施形態のステップＳ１０６と同様に、第２のサブ取得部３０が上流電力情報を取得しているか否かを判定する。上流電力情報を取得していないとき、プロセスはステップＳ２０５に戻り、ステップＳ２０５およびＳ２０６を繰返し、上流電力情報を取得するまで待機する。上流電力情報を取得しているとき、プロセスはステップＳ２０７に進む。
【００８３】
ステップＳ２０７では、制御部２８は、ステップＳ２０６において取得を確認した上流電力情報が示す電力値の符号が、買電状況、言換えると負荷機器１３側への電力供給と合致しているか否かを判定する。合致しているとき、プロセスはステップＳ２０８に進む。合致していないとき、プロセスはステップＳ２０９に進む。
【００８４】
ステップＳ２０８、Ｓ２０９では、制御部２８は、それぞれ第１の実施形態のステップＳ１０８、Ｓ１０９と同じ処理を実行して、方向判定処理を終了する。
【００８５】
以上のような構成の第２の実施形態の電力管理装置１９によれば、電力管理装置１９の電力情報および第２のサブ取得部３０が取得した出力電力情報および合計情報に基づいて第１の電流センサ１４の設置方向の正誤が判定され得る。すべての支幹の電力線における電力の合計値がすべての分散電源１８から出力される電力の合計値を超えるときには、需要家施設は買電状況である。また、すべての支幹の電力線における電力の合計値がすべての分散電源１８から出力される電力の合計値以下の時には、需要家施設は売電状況である。第１の実施形態と同様に、第１の電流センサ１４および電力量計１２の間には分散電源１８が設けられない。それゆえ、第１の電流センサ１４の設置方向が正しければ、出力の電力情報および合計情報に基づく売買状況、ならびに電力管理装置１９の電力情報が示す電力の符号は、売電状況および買電状況のいずれであっても合致する。したがって、第２の実施形態のよう判定方法によっても、第１の電流センサ１４の正確な設置方向を判定可能である。
【００８６】
また、第２の実施形態の電力管理装置１９によれば、第１の電流センサ１４の設置方向の正誤判定に基づいて、第２の電流センサ１５の設置方向の正誤が判定され得る。制御部２８は、第１の電流センサ１４の設置方向の正誤判定に基づいて、電力管理装置１９の電力情報に相当する電力の符号が買電状況であるか否かを判定し得る。したがって、第１の実施形態と同様に、買電状況であるときに上流電力情報に相当する電力の符号が負荷機器１３側への電力供給を示すか否かを判定することによって、第２の電流センサ１５の正確な設置方向を判定可能である。
【００８７】
また、第２の実施形態の電力管理装置１９によっても、第１の実施形態と同様に、第１の電流センサ１４の設置方向が誤りであるときに、第１の電流センサ１４から通知される電流値の符号が反転され得る。また、第２の実施形態の電力管理装置１９によっても、設置方向が誤りであるときに、第２の電流センサ１５から通知される電流値の符号が反転され得る。あるいは、第２の実施形態の電力管理装置１９によっても、設置方向が誤りであると表示で知らせることができるので、符号の反転ができない分散電源１８であっても、設置方向の誤りによる動作停止の状態を早期に発見できる。
【００８８】
次に、本発明の第３の実施形態に係る電力管理装置１９について説明する。第３の実施形態では電力管理装置１９の電力情報と比較する情報の種類が第１の実施形態と異なっている。以下に、第１の実施形態と異なる点を中心に第３の実施形態について説明する。なお、第１の実施形態と同じ構成を有する部位には同じ符号を付す。
【００８９】
第３の実施形態に係る電力管理装置１９を含む電力管理システム１０の構成は、図１に示す第１の実施形態における電力管理システム１０と同様である。
【００９０】
ネットワーク１１、負荷機器１３、第１の電流センサ１４、第２の電流センサ１５、第１の電圧センサ１６、および第２の電圧センサ１７の構成および機能は第１の実施形態と同様である。第１の実施形態と異なり、電力量計１２は電力の売買情報を電力管理装置１９に通知しなくてもよい。
【００９１】
分散電源１８は、第１の実施形態と同様に、自身が発電した電力または蓄電した電力を交流電力として電力線２０に出力する。第１の実施形態と異なり、すべての分散電源１８は自身が停止しているときに停止を示す駆動情報を、電力管理装置１９に通知する。
【００９２】
第３の実施形態における電力管理装置１９の構成は、図２に示す第１の実施形態と同様である。第１の実施形態と異なり、第３の実施形態の電力管理装置１９は、取得部２７が取得する情報の一部および制御部２８が実行する制御が第１の実施形態と異なっている。
【００９３】
第１のサブ取得部２９は、第１の実施形態と同様に、第１の電流センサ１４および第１の電圧センサ１６からそれぞれ電流値および電圧値を取得する。第２のサブ取得部３０は、第１の実施形態と同様に、上流電力情報を取得する。第２のサブ取得部３０は、第１の実施形態と異なり、すべての分散電源１８の駆動情報を取得する。
【００９４】
制御部２８は、第１の実施形態と同様に、電力管理装置１９の電力情報を算出し、該電力管理装置１９の電力情報および第２のサブ取得部３０が取得した情報に基づいて、第１の電流センサ１４の設置方向の正誤を判定する。第３の実施形態においては、制御部２８は設置方向の正誤判定に、第２のサブ取得部３０が取得した情報の中で、駆動情報を用いる。
【００９５】
詳細に説明すると、制御部２８は、すべての分散電源１８の駆動情報が停止を示しているかを確認する。または、制御部２８は、すべての分散電源１８に対して停止指令を通知し、その後に停止を示す駆動情報をすべての分散電源１８から取得するまで待機する構成であってもよい。
【００９６】
すべての分散電源１８が停止を示しているときに、制御部２８は電力管理装置１９の電力情報に相当する電力の符号が買電状況に合致するか否かに基づいて、第１の電流センサ１４の設置方向の正誤を判定する。なお、第１の実施形態と同様に、電力管理装置１９の電力情報が示す電力の正の符号が買電状況に合致し、負の符号が売電状況に合致する。
【００９７】
第１の実施形態と同様に、制御部２８は、合致するときには、第１の電流センサ１４の設置方向が正しいと判定する。一方、制御部２８は、合致しないときには、第１の電流センサ１４の設置方向が誤りであると判定する。
【００９８】
第１の実施形態と同様に、制御部２８は、第１の電流センサ１４の設置方向が正しいと判定するとき、設置方向が正しい旨を示す画像をデータとして作成し、当該画像を表示部２６に表示させる。
【００９９】
第１の実施形態と同様に、制御部２８は、第１の電流センサ１４の設置方向が誤りであると判定するとき、設置方向が誤りである旨を示す画像をデータとして作成し、当該画像を表示部２６に表示させる。または、制御部２８は、設置方向が誤りであると判定するときに、判定後に第１の電流センサ１４から取得する電流値の符号を反転させる。
【０１００】
第３の実施形態では、第２の実施形態と同様に、制御部２８は、第１の電流センサ１４の設置方向の正誤判定、電力管理装置１９の電力情報、および上流電力情報に基づいて、第２の電流センサ１５の設置方向の正誤を判定する。
【０１０１】
第２の実施形態と同様に、制御部２８は、負荷機器１３側への電力供給を示すときには、第２の電流センサ１５の設置方向が正しいと判定する。一方、制御部２８は、負荷機器１３側への電力供給を示さないときには、第２の電流センサ１５の設置方向が誤りであると判定する。第３の実施形態でも、電力情報が示す電力の正の符号が負荷機器１３側への電力供給に合致する。
【０１０２】
第１の実施形態と同様に、制御部２８は、第２の電流センサ１５の設置方向が正しいと判定するとき、設置方向が正しい旨を示す画像をデータとして作成し、当該画像を表示部２６に表示させる。
【０１０３】
第１の実施形態と同様に、制御部２８は、第２の電流センサ１５の設置方向が誤りであると判定するとき、設置方向が誤りである旨を示す画像をデータとして作成し、当該画像を表示部２６に表示させる。または、制御部２８は、設置方向が誤りであると判定するときに、判定後に第２の電流センサ１５から取得する電流値の符号を反転させる指令を、当該第２の電流センサ１５に対応する分散電源１８に通知する。または、制御部２８は、設置方向が誤りであると判定するときに、当該第２の電流センサ１５に対応する分散電源１８の停止指令を当該分散電源１８に通知する。
【０１０４】
次に、第３の実施形態において電力管理装置１９の制御部２８が実行する、方向判定処理について、図６のフローチャートを用いて説明する。方向判定処理は、電力管理装置１９の入力装置に対して、方向判定を実行する入力を検出するときに開始する。
【０１０５】
ステップＳ３００からステップＳ３０４は、第１の電流センサ１４の設置方向の正誤に関するものである。ステップＳ３００において、制御部２８は、第２のサブ取得部３０がすべての分散電源１８から停止を示す駆動情報を取得しているか否かを判定する。取得していないとき、プロセスはステップＳ３００を繰返し、すべての分散電源１８から停止を示す駆動情報を取得するまで待機する。取得しているとき、プロセスはステップＳ３０１に進む。
【０１０６】
ステップＳ３０１では、制御部２８は、第１の実施形態のステップＳ１０１と同じ処理を実行して、ステップＳ３０２に進む。
【０１０７】
ステップＳ３０２では、制御部２８は、ステップＳ３０１で算出した電力の符号が買電状況に合致しているか否かを判定する。合致しているとき、プロセスはステップＳ３０３に進む。合致していないとき、プロセスはステップＳ３０４に進む。
【０１０８】
以後のステップＳ３０３からＳ３０９では、制御部２８、第２の実施形態のステップＳ２０３からＳ２０９と同じ処理を実行して、方向判定処理を終了する。
【０１０９】
以上のような構成の第３の実施形態の電力管理装置１９によれば、電力管理装置１９の電力情報および第２のサブ取得部３０が取得した停止を示す駆動情報に基づいて第１の電流センサ１４の設置方向の正誤が判定され得る。電力線２０に接続されるすべての分散電源１８が停止しているときには、一般的に需要家施設は買電状況である。したがって、すべての分散電源１８が停止しているときの電力管理装置１９の電力情報の示す売買状況を確認することにより、第１の電流センサ１４の正確な設置方向を判定可能である。
【０１１０】
また、第３の実施形態の電力管理装置１９によっても、第１の実施形態と同様に、第１の電流センサ１４の設置方向が誤りであるときに、第１の電流センサ１４から通知される電流値の符号が反転され得る。また、第３の実施形態の電力管理装置１９によっても、第２の実施形態と同様に、第１の電流センサ１４の設置方向の正誤判定に基づいて、第２の電流センサ１５の設置方向の正誤が判定され得る。また、第３の実施形態の電力管理装置１９によっても、第２の電流センサ１５の設置方向が誤りであるときに、第２の電流センサ１５から通知される電流値の符号が反転され得る。あるいは、第３の実施形態の電力管理装置１９によっても、第２の電流センサ１５の設置方向が誤りであると表示で知らせることができるので、符号の反転ができない分散電源１８であっても、設置方向の誤りによる動作停止の状態を早期に発見できる。
【０１１１】
次に、本発明の第４の実施形態に係る電力管理装置１９について説明する。第４の実施形態では電力管理装置１９の電力情報と比較する情報の種類が第１の実施形態と異なっている。以下に、第１の実施形態と異なる点を中心に第４の実施形態について説明する。なお、第１の実施形態と同じ構成を有する部位には同じ符号を付す。
【０１１２】
第４の実施形態に係る電力管理装置１９を含む電力管理システム１０の構成は、図１に示す第１の実施形態における電力管理システム１０と同様である。
【０１１３】
ネットワーク１１、負荷機器１３、第１の電流センサ１４、第２の電流センサ１５、第１の電圧センサ１６、および第２の電圧センサ１７の構成および機能は第１の実施形態と同様である。第１の実施形態と異なり、電力量計１２は電力の売買情報を電力管理装置１９に通知しなくてもよい。
【０１１４】
分散電源１８は、第１の実施形態と同様に、自身が発電した電力または充電した電力を交流電力として電力線２０に出力する。第４の実施形態においては、電力線２０に接続される分散電源１８の中には蓄電装置が含まれている。また、第４の実施形態においては、分散電源１８は、電力管理装置１９からの指令に基づいて、発電の停止および充電を実行する。
【０１１５】
また、第４の実施形態においては、第３の実施形態と同様に、蓄電装置以外のすべての分散電源１８（第１の分散電源２２、第３の分散電源２４）は自身が停止しているときに停止を示す駆動情報を、電力管理装置１９に通知する。また、第４の実施形態においては、蓄電装置である第２の分散電源２３は、自身が充電状態であるときに充電状態を示す駆動情報を、電力管理装置１９に通知する。
【０１１６】
第４の実施形態における電力管理装置１９の構成は、図２に示す第１の実施形態と同様である。第１の実施形態と異なり、第４の実施形態の電力管理装置１９は、取得部２７が取得する情報の一部および制御部２８が実行する制御が第１の実施形態と異なっている。
【０１１７】
第１のサブ取得部２９は、第１の実施形態と同様に、第１の電流センサ１４および第１の電圧センサ１６からそれぞれ電流値および電圧値を取得する。第２のサブ取得部３０は、第１の実施形態と同様に、上流電力情報を取得する。第２のサブ取得部３０は、第１の実施形態と異なり、分散電源１８の駆動情報を取得する。
【０１１８】
制御部２８は、第１の実施形態と異なり、蓄電装置である第２の分散電源２３に対して充電の指令を通知する。また、制御部２８は、第１の実施形態と異なり、蓄電装置以外の分散電源１８（第１の分散電源２２、第３の分散電源２４）に対して発電停止の指令を通知する。
【０１１９】
制御部２８は、１の実施形態と同様に、電力管理装置１９の電力情報を算出し、当該電力管理装置１９の電力情報および第２のサブ取得部３０が取得した情報に基づいて、第１の電流センサ１４の設置方向の正誤を判定する。第４の実施形態においては、制御部２８は設置方向の正誤判定に、第２のサブ取得部３０が取得した情報の中で、駆動情報を用いる。
【０１２０】
詳細に説明すると、制御部２８は、蓄電装置である第２の分散電源２３からの駆動情報が充電状態を示し、かつ蓄電装置以外のすべての分散電源１８（第１の分散電源２２、第３の分散電源２４）からの駆動情報が停止状態を示しているか否かを確認する。
【０１２１】
蓄電装置である第２の分散電源２３が充電状態、かつ蓄電装置以外のすべての分散電源１８（第１の分散電源２２、第３の分散電源２４）が停止状態であるとき、需要家施設が売電状況であるとみなせる。そこで、制御部２８は、第１の分散電源２２、第２の分散電源２３、および第３の分散電源２４の駆動情報に基づき買電状況であるときに、電力管理装置１９の電力情報に相当する電力の符号が買電状況に合致するか否かを判定する。制御部２８は判定結果に基づいて、第１の電流センサ１４の設置方向の正誤を判定する。なお、第１の実施形態と同様に、電力管理装置１９の電力情報が示す電力の正の符号が買電状況に合致し、負の符号が売電状況に合致する。
【０１２２】
第１の実施形態と同様に、制御部２８は、合致するときには、第１の電流センサ１４の設置方向が正しいと判定する。一方、制御部２８は、合致しないときには、第１の電流センサ１４の設置方向が誤りであると判定する。
【０１２３】
第１の実施形態と同様に、制御部２８は、第１の電流センサ１４の設置方向が正しいと判定するとき、設置方向が正しい旨を示す画像をデータとして作成し、当該画像を表示部２６に表示させる。
【０１２４】
第１の実施形態と同様に、制御部２８は、第１の電流センサ１４の設置方向が誤りであると判定するとき、設置方向が誤りである旨を示す画像をデータとして作成し、当該画像を表示部２６に表示させる。または、制御部２８は、第１の電流センサ１４の設置方向が誤りであると判定するときに、判定後に第１の電流センサ１４から取得する電流値の符号を反転させる。
【０１２５】
第４の実施形態では、第２の実施形態と同様に、制御部２８は、第１の電流センサ１４の設置方向の正誤判定、電力管理装置１９の電力情報、および上流電力情報に基づいて、第２の電流センサ１５の設置方向の正誤を判定する。
【０１２６】
第１の実施形態と同様に、制御部２８は、負荷機器１３側への電力供給を示すときには、第２の電流センサ１５の設置方向が正しいと判定する。一方、制御部２８は、負荷機器１３側への電力供給を示さないときには、第２の電流センサ１５の設置方向が誤りであると判定する。第４の実施形態でも、電力情報が示す電力の正の符号が負荷機器１３側への電力供給に合致する。
【０１２７】
第１の実施形態と同様に、制御部２８は、第２の電流センサ１５の設置方向が正しいと判定するとき、設置方向が正しい旨を示す画像をデータとして作成し、当該画像を表示部２６に表示させる。
【０１２８】
第１の実施形態と同様に、制御部２８は、第２の電流センサ１５の設置方向が誤りであると判定するとき、設置方向が誤りである旨を示す画像をデータとして作成し、当該画像を表示部２６に表示させる。または、制御部２８は、設置方向が誤りであると判定するときに、判定後に第２の電流センサ１５から取得する電流値の符号を反転させる指令を、当該第２の電流センサ１５に対応する分散電源１８に通知する。または、制御部２８は、設置方向が誤りであると判定するときに、ネットワーク１１を通じて管理会社などに設置方向が誤りであることに起因して分散電源１８が動作できないことを通知する。
【０１２９】
次に、第４の実施形態において電力管理装置１９の制御部２８が実行する、方向判定処理について、図７のフローチャートを用いて説明する。方向判定処理は、電力管理装置１９の入力装置に対して、方向判定を実行する入力を検出するときに開始する。
【０１３０】
ステップＳ４００において、制御部２８は、蓄電装置である第２の分散電源２３に対して充電の指令を通知し、蓄電装置以外の分散電源１８（第１の分散電源２２、第３の分散電源２４）に対して発電停止の指令を通知する。通知後、プロセスはステップＳ４０１に進む。
【０１３１】
ステップＳ４０１では、制御部２８は、第２のサブ取得部３０は第２の分散電源２３から充電状態である駆動情報、および第１の分散電源２２および第３の分散電源２４から停止を示す駆動情報を取得しているか否かを判定する。取得していないとき、プロセスはステップＳ４０１を繰返し、待機する。取得しているとき、プロセスはステップＳ４０２に進む。
【０１３２】
以後のステップＳ４０２からＳ４１０では、制御部２８は、第３の実施形態のステップＳ３０１からＳ３０９と同じ処理を実行して、方向判定処理を終了する。
【０１３３】
以上のような構成の第４の実施形態の電力管理装置１９によれば、電力管理装置１９の電力情報および第２のサブ取得部３０が取得した停止を示す駆動情報に基づいて第１の電流センサ１４の設置方向の正誤が判定され得る。蓄電装置である第２の分散電源２３が充電状態かつ電力線２０に接続される他のすべての分散電源１８（第１の分散電源２２、第３の分散電源２４）が停止しているときには、需要家施設は買電状況である。したがって、蓄電装置である第２の分散電源２３が充電かつ他のすべての分散電源１８（第１の分散電源２２、第３の分散電源２４）が停止しているときの電力管理装置１９の電力情報の示す売買状況を確認することにより、第１の電流センサ１４の正確な設置方向を判定可能である。
【０１３４】
また、第４の実施形態の電力管理装置１９によっても、第１の実施形態と同様に、第１の電流センサ１４の設置方向が誤りであるときに、第１の電流センサ１４から通知される電流値の符号が反転され得る。また、第４の実施形態の電力管理装置１９によっても、第２の実施形態と同様に、第１の電流センサ１４の設置方向の正誤判定に基づいて、第２の電流センサ１５の設置方向の正誤が判定され得る。また、第４の実施形態の電力管理装置１９によっても、第２の電流センサ１５の設置方向が誤りであるときに、第２の電流センサ１５から通知される電流値の符号が反転され得る。あるいは、第４の実施形態の電力管理装置１９によっても、第２の電流センサ１５の設置方向が誤りであると表示で知らせることができるので、符号の反転ができない分散電源１８であっても、設置方向の誤りによる動作停止の状態を早期に発見できる。
【０１３５】
次に、本発明の第５の実施形態に係る電力管理装置１９について説明する。第５の実施形態では電力管理装置１９の電力情報と比較する情報の種類が第１の実施形態と異なっている。以下に、第１の実施形態と異なる点を中心に第５の実施形態について説明する。なお、第１の実施形態と同じ構成を有する部位には同じ符号を付す。
【０１３６】
第５の実施形態に係る電力管理装置１９を含む電力管理システム１０の構成は、図１に示す第１の実施形態における電力管理システム１０と同様である。
【０１３７】
ネットワーク１１、負荷機器１３、第１の電流センサ１４、第２の電流センサ１５、第１の電圧センサ１６、第２の電圧センサ１７、および分散電源１８の構成および機能は第１の実施形態と同様である。第１の実施形態と異なり、電力量計１２は電力の売買情報を電力管理装置１９に通知しなくてもよい。
【０１３８】
第５の実施形態における電力管理装置１９の構成は、図２に示す第１の実施形態と同様である。第１の実施形態と異なり、第５の実施形態の電力管理装置１９は、制御部２８が実行する制御が第１の実施形態と異なっている。
【０１３９】
制御部２８は、第１の実施形態と異なり、少なくとも１つの分散電源１８に対して出力を変化させる指令を通知する。なお、第５の実施形態では、出力の変化は低下である。出力を低下させる指令には、蓄電装置である分散電源１８に対する充電の指令も含む。出力を低下させる分散電源１８の種類は限定されない。
【０１４０】
例えば、蓄電装置である分散電源１８の出力を低下させるときは、放電する電力を低下させてもよいし、放電または停止から充電に切替えてもよいし、充電する電力を増加させてもよい。また、太陽光発電装置または燃料電池装置である分散電源１８の出力を低下させるときは、発電する電力を低下させればよい（停止も含む）。
【０１４１】
制御部２８は、第１の実施形態と同様に、電力管理装置１９の電力情報を算出し、当該電力管理装置１９の電力情報および第２のサブ取得部３０が取得した情報に基づいて、第１の電流センサ１４の設置方向の正誤を判定する。第５の実施形態においては、制御部２８は設置方向の正誤判定に、第２のサブ取得部３０が取得した情報の中で、上流電力情報を用いる。
【０１４２】
詳細に説明すると、制御部２８は、上述のように、少なくとも１つの分散電源１８に出力を減少させる指令を通知する。制御部２８は、出力の減少の指令を通知する前に、電力管理装置１９の電力情報および上流電力情報を取得する。なお、この時点で取得した上流電力情報は設置方向の正誤が不明な状態なので、第１の電流センサ１４の設置方向判定中の電力値（負荷への供給電力量および売電電力量など）は判定が確定するまで過去の電力値に積算せず、判定完了後に合算させるようにすればよい。制御部２８は、通知後の上流電力情報に相当する電力の変化が負荷機器１３側への電力供給方向への変化、本実施形態では増加するとき、電力管理装置１９の電力情報を取得する。制御部２８は、出力の減少の指令の通知の前後における電力管理装置１９の電力情報に相当する電力の変化が負荷機器１３側への電力供給方向への変化であるか否かに基づいて、第１の電流センサ１４の設置方向の正誤を判定する。
【０１４３】
なお、制御部２８における第１の電流センサ１４の設置方向の正誤の判定を所定の時間間隔で２回以上行い、判定結果に基づいて最終判定を行ってもよい。例えば、所定の時間間隔で設置方向の正誤の判定を奇数回行い、回数が多い判定結果を最終判定としてもよい。
【０１４４】
第１の実施形態と同様に、制御部２８は、合致するときには、第１の電流センサ１４の設置方向が正しいと判定する。一方、制御部２８は、合致しないときには、第１の電流センサ１４の設置方向が誤りであると判定する。
【０１４５】
第１の実施形態と同様に、制御部２８は、第１の電流センサ１４の設置方向が正しいと判定するとき、設置方向が正しい旨を示す画像をデータとして作成し、当該画像を表示部２６に表示させる。
【０１４６】
第１の実施形態と同様に、制御部２８は、第１の電流センサ１４の設置方向が誤りであると判定するとき、設置方向が誤りである旨を示す画像をデータとして作成し、当該画像を表示部２６に表示させる。または、制御部２８は、第１の電流センサ１４の設置方向が誤りであると判定するときに、判定後に第１の電流センサ１４から取得する電流値の符号を反転させる。
【０１４７】
第５の実施形態では、第２の実施形態と同様に、制御部２８は、第１の電流センサ１４の設置方向の正誤判定、電力管理装置１９の電力情報、および上流電力情報に基づいて、第２の電流センサ１５の設置方向の正誤を判定する。
【０１４８】
第１の実施形態と同様に、制御部２８は、負荷機器１３側への電力供給を示すときには、第２の電流センサ１５の設置方向が正しいと判定する。一方、制御部２８は、負荷機器１３側への電力供給を示さないときには、第２の電流センサ１５の設置方向が誤りであると判定する。第５の実施形態でも、電力情報が示す電力の正の符号が負荷機器１３側への電力供給に合致する。
【０１４９】
第１の実施形態と同様に、制御部２８は、第２の電流センサ１５の設置方向が正しいと判定するとき、設置方向が正しい旨を示す画像をデータとして作成し、当該画像を表示部２６に表示させる。
【０１５０】
第１の実施形態と同様に、制御部２８は、第２の電流センサ１５の設置方向が誤りであると判定するとき、設置方向が誤りである旨を示す画像をデータとして作成し、当該画像を表示部２６に表示させる。または、制御部２８は、設置方向が誤りであると判定するときに、判定後に第２の電流センサ１５から取得する電流値の符号を反転させる指令を、当該第２の電流センサ１５に対応する分散電源１８に通知する。または、制御部２８は、設置方向が誤りであると判定するときに、ネットワーク１１を通じて管理会社などに設置方向が誤りであることに起因して分散電源１８が動作できないことを通知する。
【０１５１】
次に、第５の実施形態において電力管理装置１９の制御部２８が実行する、方向判定処理について、図８のフローチャートを用いて説明する。方向判定処理は、電力管理装置１９の入力装置に対して、方向判定を実行する入力を検出するときに開始する。
【０１５２】
ステップＳ５００において、制御部２８は、第２のサブ取得部３０が、出力を低下させる対象の分散電源１８の上流電力情報を取得しているか否かを判定する。取得していないとき、プロセスはステップＳ５００を繰返し、上流電力情報を取得するまで待機する。取得しているとき、プロセスはステップＳ５０１に進む。
【０１５３】
ステップＳ５０１では、制御部２８は、第１の実施形態のステップＳ１０１と同じ処理を実行して、プロセスはステップＳ５０２に進む。
【０１５４】
ステップＳ５０２では、制御部２８は、ステップＳ５００において上流電力情報の取得を確認した分散電源１８に対して出力の低下の指令を通知する。通知後、プロセスはステップＳ５０３に進む。
【０１５５】
ステップＳ５０３では、制御部２８は、第２のサブ取得部３０が、ステップＳ５０２において出力の低下の指令を通知した分散電源１８から、上流電力情報を取得し、上流電力情報に相当する電力が、ステップＳ５００において取得を確認した上流電力情報に相当する電力から増加しているか否かを判定する。増加していないとき、プロセスはステップＳ５０２に戻り、ステップＳ３０２およびＳ５０３を繰返し、増加するまで待機する。増加しているとき、プロセスはステップＳ５０４に進む。なお、分散電源１８の出力をさらに低下させることができない場合には、判定の継続は不可能なので、方向判定処理を終了する。
【０１５６】
ステップＳ５０４では、ステップＳ５０１と同様にして、制御部２８は、電力管理装置１９の電力情報を算出する。算出後、プロセスはステップＳ５０５に進む。
【０１５７】
ステップＳ５０５では、制御部２８は、ステップＳ５０１および５０４で算出した電力管理装置１９の電力情報に相当する電力の変化の方向が、ステップＳ５０２で出力を変化させた電力情報に相当する電力の変化の方向に合致する、言い換えると増加しているか否か判定する。合致するとき、プロセスはステップＳ５０６に進む。合致しないとき、プロセスはステップＳ５０７に進む。
【０１５８】
以後のステップＳ５０６からＳ５１２では、制御部２８は、第２の実施形態のステップＳ２０３からＳ２０９と同じ処理を実行して、方向判定処理を終了する。
【０１５９】
以上のような構成の第５の実施形態の電力管理装置１９によれば、電力管理装置１９の電力情報および第２のサブ取得部３０が取得した上流電力情報に基づいて第１の電流センサ１４の設置方向の正誤が判定され得る。特に、電力管理装置１９と通信できない分散電源１８が電力線２０に接続されていても、第１の電流センサ１４の設置方向を判定可能である。
【０１６０】
また、第５の実施形態の電力管理装置１９によれば、第１の電流センサ１４の設置方向の判定を複数回行い、その結果に基づいて最終判定を行うので、通信できない分散電源１８の出力変動などが生じていても、設置方向の正誤が高い精度で判定され得る。
【０１６１】
また、第５の実施形態の電力管理装置１９によっても、第１の実施形態と同様に、第１の電流センサ１４の設置方向が誤りであるときに、第１の電流センサ１４から通知される電流値の符号が反転され得る。また、第５の実施形態の電力管理装置１９によっても、第２の実施形態と同様に、第１の電流センサ１４の設置方向の正誤判定に基づいて、第２の電流センサ１５の設置方向の正誤が判定され得る。また、第５の実施形態の電力管理装置１９によっても、第２の電流センサ１５の設置方向が誤りであるときに、第２の電流センサ１５から通知される電流値の符号が反転され得る。あるいは、第５の実施形態の電力管理装置１９によっても、第２の電流センサ１５の設置方向が誤りであると表示で知らせることができるので、符号の反転ができない分散電源１８であっても、設置方向の誤りによる動作停止の状態を早期に発見できる。
【０１６２】
次に、本発明の第６の実施形態に係る電力管理装置１９について説明する。第６の実施形態では電力管理装置１９の電力情報と比較する情報の種類が第１の実施形態と異なっている。以下に、第１の実施形態と異なる点を中心に第６の実施形態について説明する。なお、第１の実施形態と同じ構成を有する部位には同じ符号を付す。
【０１６３】
第６の実施形態に係る電力管理装置１９を含む電力管理システム１０の構成は、図１に示す第１の実施形態における電力管理システム１０と同様である。
【０１６４】
ネットワーク１１、負荷機器１３、第１の電流センサ１４、第２の電流センサ１５、第１の電圧センサ１６、第２の電圧センサ１７、および分散電源１８の構成および機能は第１の実施形態と同様である。第１の実施形態と異なり、電力量計１２は電力の売買情報を電力管理装置１９に通知しなくてもよい。
【０１６５】
第６の実施形態における電力管理装置１９の構成は、図２に示す第１の実施形態と同様である。第１の実施形態と異なり、第６の実施形態の電力管理装置１９は、制御部２８が実行する制御が第１の実施形態と異なっている。
【０１６６】
制御部２８は、第５の実施形態と同様に、少なくとも１つ以上の分散電源１８対して出力を変化させる指令を通知する。なお、第５の実施形態と異なり、変化させる出力が、例えば、第１の分散電源２２の定格出力が５ｋＷｈであれば、第２の分散電源２３と第３の分散電源２４を合せて６ｋＷｈとする所定値（第２の所定値）であって、一般的な分散電源１８の定格出力の１．１倍以上である。このように一般的な分散電源の最大電力値以上の電力値である第２の所定値で変化させることにより、電力管理装置１９で把握できていない分散電源の出力以上の変動量を確保する事ができ、実施形態５に比べて出力低下できる確率を高められる。また、第６の実施形態では、出力の変化は低下である。出力を低下させる指令には、蓄電装置である分散電源１８に対する充電の指令も含む。出力を低下させる分散電源１８の種類は限定されない。
【０１６７】
制御部２８は、第１の実施形態と同様に、電力管理装置１９の電力情報を算出し、該電力管理装置１９の電力情報および第２のサブ取得部３０が取得した情報に基づいて、第１の電流センサ１４の設置方向の正誤を判定する。第６の実施形態においては、制御部２８は設置方向の正誤判定に、第２のサブ取得部３０が取得した情報の中で、上流電力情報を用いる。
【０１６８】
詳細に説明すると、制御部２８は、上述のように、少なくとも１つの分散電源１８に所定値で出力を低下させる指令を通知する。分散電源１８が蓄電装置であれば充電とすることが可能なので、変化させる出力を単体で第２の所定値にすることが容易である。しかし、分散電源１８が複数存在する場合において、分散電源１８が蓄電装置（満充電状態）であったり、分散電源１８が太陽光発電や燃料電池であったりする場合は、複数の分散電源で合算して、変化させる出力を第２の所定値になるよう指令すればよい。制御部２８は、出力の減少の指令を通知する前に、電力管理装置１９の電力情報および当該分散電源１８の上流電力情報を取得する。制御部２８は、通知後の当該上流電力情報に相当する電力の変化量が所定値となるとき、電力管理装置１９の電力情報を取得する。制御部２８は、出力の減少の指令の通知の前後における電力管理装置１９の電力情報に相当する電力の変化が所定値に一致するとみなせるか否かに基づいて、第１の電流センサ１４の設置方向の正誤を判定する。
【０１６９】
なお、第５の実施形態と同様に、制御部２８における第１の電流センサ１４の設置方向の正誤の判定を所定の時間間隔内で２回以上（複数回）行い、判定結果に基づいて最終判定を行ってもよい。
【０１７０】
第１の実施形態と同様に、制御部２８は、合致するときには、第１の電流センサ１４の設置方向が正しいと判定する。一方、制御部２８は、合致しないときには、第１の電流センサ１４の設置方向が誤りであると判定する。
【０１７１】
第１の実施形態と同様に、制御部２８は、第１の電流センサ１４の設置方向が正しいと判定するとき、設置方向が正しい旨を示す画像をデータとして作成し、当該画像を表示部２６に表示させる。
【０１７２】
第１の実施形態と同様に、制御部２８は、第１の電流センサ１４の設置方向が誤りであると判定するとき、設置方向が誤りである旨を示す画像をデータとして作成し、当該画像を表示部２６に表示させる。または、制御部２８は、第１の電流センサ１４の設置方向が誤りであると判定するときに、判定後に第１の電流センサ１４から取得する電流値の符号を反転させる。
【０１７３】
第６の実施形態では、第２の実施形態と同様に、制御部２８は、第１の電流センサ１４の設置方向の正誤判定、電力管理装置１９の電力情報、および上流電力情報に基づいて、第２の電流センサ１５の設置方向の正誤を判定する。
【０１７４】
第１の実施形態と同様に、制御部２８は、負荷機器１３側への電力供給を示すときには、第２の電流センサ１５の設置方向が正しいと判定する。一方、制御部２８は、負荷機器１３側への電力供給を示さないときには、第２の電流センサ１５の設置方向が誤りであると判定する。第６の実施形態でも、上流電力情報が示す電力の正の符号が負荷機器１３側への電力供給に合致する。
【０１７５】
第１の実施形態と同様に、制御部２８は、第２の電流センサ１５の設置方向が正しいと判定するとき、設置方向が正しい旨を示す画像をデータとして作成し、当該画像を表示部２６に表示させる。
【０１７６】
第１の実施形態と同様に、制御部２８は、第２の電流センサ１５の設置方向が誤りであると判定するとき、設置方向が誤りである旨を示す画像をデータとして作成し、当該画像を表示部２６に表示させる。または、制御部２８は、設置方向が誤りであると判定するときに、判定後に第２の電流センサ１５から取得する電流値の符号を反転させる指令を、当該第２の電流センサ１５に対応する分散電源１８に通知する。または、制御部２８は、設置方向が誤りであると判定するときに、当該第２の電流センサ１５に対応する分散電源１８の停止指令を当該分散電源１８に通知する。
【０１７７】
次に、第６の実施形態において電力管理装置１９の制御部２８が実行する、方向判定処理について、図９のフローチャートを用いて説明する。方向判定処理は、電力管理装置１９の入力装置に対して、方向判定を実行する入力を検出するときに開始する。
【０１７８】
ステップＳ６００およびＳ６０１において、制御部２８は、第５の実施形態のステップＳ５００と同じ処理を実行して、プロセスはステップＳ６０２に進む。
【０１７９】
ステップＳ６０２では、制御部２８は、ステップＳ６００において上述の取得を確認した分散電源１８に対して、所定値の出力の低下の指令を通知する。通知後、プロセスはステップＳ６０３に進む。
【０１８０】
ステップＳ６０３では、制御部２８は、第２のサブ取得部３０が、ステップＳ６０２において出力の低下の指令を通知した分散電源１８から、上流電力情報を取得する。さらに、制御部２８は、当該電力情報に相当する電力が、ステップＳ５００において取得を確認した電力情報に相当する電力から所定値だけ増加しているか否かを判定する。増加していないとき、プロセスはステップＳ６０２に戻り、ステップＳ６０２およびＳ６０３を繰返し、増加するまで待機する。増加しているとき、プロセスはステップＳ６０４に進む。なお、分散電源１８の出力をさらに低下させることができない場合には、判定の継続は不可能なので、方向判定処理を終了する。
【０１８１】
ステップＳ６０４では、ステップＳ６０１と同様にして、制御部２８は、電力管理装置１９の電力情報を算出する。算出後、プロセスはステップＳ６０５に進む。
【０１８２】
ステップＳ６０５では、制御部２８は、ステップＳ６０１および６０４で算出した電力管理装置１９の電力情報に相当する電力の変化が、所定値に略合致するか否か判定する。合致するとき、プロセスはステップＳ６０６に進む。合致しないとき、プロセスはステップＳ６０７に進む。
【０１８３】
以後のステップＳ６０６からＳ６１２では、制御部２８は、第２の実施形態のステップＳ２０３からＳ２０９と同じ処理を実行して、方向判定処理を終了する。
【０１８４】
以上のような構成の第６の実施形態の電力管理装置１９によれば、電力管理装置１９の電力情報および第２のサブ取得部３０が取得した上流電力情報に基づいて第１の電流センサ１４の設置方向の正誤が判定され得る。特に、電力管理装置１９と通信できない分散電源１８が電力線２０に接続されていても、第１の電流センサ１４の設置方向を判定可能である。また、分散電源１８の出力する電力を所定値だけ変化させるので、電力管理装置１９と通信できない分散電源１８が電力線２０に接続されていても、当該分散電源１８の出力変動による判定不能の影響が低減する。
【０１８５】
また、第６の実施形態の電力管理装置１９によれば、第１の電流センサ１４の設置方向の判定を複数回行い、その結果に基づいて最終判定を行うので、通信できない分散電源１８の出力変動などが生じていても、設置方向の正誤がさらに高い精度で判定され得る。
【０１８６】
また、第６の実施形態の電力管理装置１９によっても、第１の実施形態と同様に、第１の電流センサ１４の設置方向が誤りであるときに、第１の電流センサ１４から通知される電流値の符号が反転され得る。また、第６の実施形態の電力管理装置１９によっても、第２の実施形態と同様に、第１の電流センサ１４の設置方向の正誤判定に基づいて、第２の電流センサ１５の設置方向の正誤が判定され得る。また、第６の実施形態の電力管理装置１９によっても、第２の電流センサ１５の設置方向が誤りであるときに、第２の電流センサ１５から通知される電流値の符号が反転され得る。あるいは、第６の実施形態の電力管理装置１９によっても、第２の電流センサ１５の設置方向が誤りであると表示で知らせることができるので、符号の反転ができない分散電源１８であっても、設置方向の誤りによる動作停止の状態を早期に発見できる。
【０１８７】
本発明を諸図面や実施例に基づき説明してきたが、当業者であれば本開示に基づき種々
の変形や修正を行うことが容易であることに注意されたい。従って、これらの変形や修正
は本発明の範囲に含まれることに留意されたい。
【０１８８】
例えば、第２の電流センサ１５の設置方向の正誤の判定に、第１の実施形態では電力の売買情報を用い、第２の実施形態から第６の実施形態では第１の電流センサ１４の設置方向の正誤判定情報を用いているが、これらの情報に限定されない。
【０１８９】
例えば、複数の分散電源１８の中で、第２の電流センサ１５の設置方向の正誤を判定する機能を有する分散電源１８が電力線２０に接続され、該分散電源１８よりも負荷機器１３側に接続される他の分散電源１８があれば、第２の電流センサ１５の設置方向の正誤判定の結果を利用して他の分散電源１８の電流センサ（例えば、図１における第３の分散電源２４の電流センサ１５）の設置方向の正誤判定が可能である。なお、便宜上、以下の説明においては図１における第２の分散電源２３と第３の分散電源２４を用いた例とする。詳細に説明すると、取得部２７は、正誤判定を行う第２の分散電源２３から第２の電流センサ１５の設置方向の正誤判定情報、および第３の分散電源２４の上流電力情報を取得する。制御部２８は、第２の分散電源２３の正誤判定情報および第３の分散電源２４の上流電力情報に基づいて、第３の分散電源２４に対応する第２の電流センサ１５の設置方向の正誤を判定する。例えば、制御部２８は、第２の分散電源２３の第２の電流センサ１５の設置方向が正しく、上流電力情報に相当する電力が負荷機器１３側への電力供給を示し、かつ第３の分散電源２４の上流電力情報に相当する電力が負荷機器１３側への電力供給を示しているとき、第３の分散電源２４に対応する第２の電流センサ１５の設置方向は正しいと判定可能である。
【０１９０】
また、例えば、複数の分散電源１８の中に売電が許可されている第１の分散電源２２および売電が許可されていない第２の分散電源２３が含まれ、かつ第１の分散電源２２からの売電電力値が第１の分散電源２２の出力電力情報（発電量）の電力値を超える場合には、第２の電流センサ１５の設置方向は正しくないと判定可能である。なお、第１の分散電源２２からの売電が検出されるとき第２の分散電源２３の駆動を停止しても良いし、第２分散電源２３からの出力が判定に影響しないレベルまで下げても良い。詳細に説明すると、取得部２７は、電力管理装置１９の電力情報および第１の分散電源２２の出力電力情報を取得する。制御部２８は、電力管理装置１９の電力情報に相当する電力値が第１の分散電源２２の出力電力情報に相当する電力値を超えるとき、第２の電流センサ１５の設置方向が誤りであると判定する。
【０１９１】
また、第４の実施形態において、蓄電装置以外の分散電源１８の駆動を停止させる構成であるが、停止をさせずに所定値未満で発電させる構成であってもよい。この構成においては、分散電源１８は、電力管理装置１９からの指令に基づいて、所定値（第１の所定値）における電力を出力する。第１の所定値は蓄電装置の充電電力値よりも少ない値であり、充電状態である駆動情報に充電電力（または充電電流）の情報を含む。また、該充電電力から所定電力（例えば、１００Ｗ）の値を引いた値を用いてもよい。なお、所定電力は誤動作防止のためのマージン量の一例である。この構成においては、第２の実施形態と同様に、分散電源１８は自身が出力する電力を検出するセンサを内蔵しており、出力する電力に相当する出力電力情報を電力管理装置１９に通知する。第２のサブ取得部３０は、第１の実施形態と異なり、分散電源１８の駆動情報および出力電力情報を取得する。また、制御部２８は、第１の実施形態と異なり、蓄電装置以外の分散電源１８に対して所定値（第１の所定値）未満での電力出力の指令を通知する。また、制御部２８は、蓄電装置である第２の分散電源２３からの駆動情報が充電状態を示し、かつ蓄電装置以外のすべての分散電源１８（第１の分散電源２２、第３の分散電源２４）からの出力電力情報が示す電力が所定値未満であるか否かを確認する。また、制御部２８は、蓄電装置である第２の分散電源２３が充電状態、かつ蓄電装置以外のすべての分散電源１８（第１の分散電源２２、第３の分散電源２４）の出力する電力が所定値未満であるとき、電力管理装置１９の電力情報に相当する電力の符号が買電状況に合致するか否かに基づいて、第１の電流センサ１４の設置方向の正誤を判定する。
【０１９２】
また、第１の実施形態、第５の実施形態、および第６の実施形態において、電力管理装置１９と第１の分散電源２２は通信可能であるが、通信ができなくてもよい。上述のように、これらの実施形態においては、電力管理装置１９との通信ができない分散電源１８が電力線２０に接続されていたとしても第１の電流センサ１４の設置方向の判定が可能である。
【０１９３】
また、第５の実施形態および第６の実施形態において、少なくとも１つの分散電源１８に対しての出力の変化は低下であるが、増加であってもよい。特に、分散電源１８が蓄電装置であるときは充電から放電への切替え、および放電量の増加であってもよい。
【０１９４】
また、第５の実施形態および第６の実施形態において、設置方向の正誤の判定を２回以上（複数回）行う場合、分散電源１８に対する出力の変化は低下だけであるが、出力を低下させたときの判定と出力を増加させたときの判定を混在させて、最終判定を行ってもよい。例えば、蓄電装置である分散電源１８に対して、出力を低下させたときの設置方向の判定と、出力を増加させたときの設置方向の判定とに基づいて最終判定を行ってもよい。
【０１９５】
また、第５の実施形態および第６の実施形態において、分散電源１８の出力を変化させるとき、第１の電流センサ１４の設置方向の判定のみを行う構成であるが、出力の変化が負荷機器１３側への電力供給を増加させるのであれば、第２の電流センサ１５の設置方向の判定も同時に行ってもよい。
【符号の説明】
【０１９６】
１０、１００  電力管理システム
１１  ネットワーク
１２  電力量計
１３  負荷機器
１４  第1の電流センサ
１５  第２の電流センサ
１６  第１の電圧センサ
１７  第２の電圧センサ
１８  分散電源
１９  電力管理装置
２０  主幹の電力線
２１  電力系統
２２  第１の分散電源
２３  第２の分散電源
２４  第３の分散電源
２５  記憶部
２６  表示部
２７  取得部
２８  制御部
２９  第１のサブ取得部
３０  第２のサブ取得部
３１  分電盤
Ｐ１  第１の接続点
Ｐ２  第２の接続点
Ｐ３  第３の接続点
【図１】
2018038144.tif 000003
【図２】
2018038144.tif 000004
【図３】
2018038144.tif 000005
【図４】
2018038144.tif 000006
【図５】
2018038144.tif 000007
【図６】
2018038144.tif 000008
【図７】
2018038144.tif 000009
【図８】
2018038144.tif 000010
【図９】
2018038144.tif 000011